(57)【要約】【課題】少ないスイッチで、メニュー選択から、焼き色の選択、予約時間の設定を行うことができる、使用勝手の良い自動製パン機を提供する。【解決手段】ヒータ３を有する焼成室２と、前記焼成室２内に着脱自在に載置されたパン焼き型４と、前記パン焼き型４の内部に回転自在に配設された練り羽根７と、前記練り羽根７を駆動するモータ５と、前記焼成室２内の温度を検知する温度検知手段１０と、メニューや焼き色の選択、調理終了時刻の設定、調理スタートを行う入力手段１３と、選択されたメニューや設定された調理終了時刻を表示する表示手段１４とを備え、前記入力手段１３を、選択スイッチ２３と、選択された内容を設定する確定スイッチ２５と、設定された内容を取り消すための取消スイッチ２４で構成したもので、少ないスイッチでメニューの選択、焼き色の選択、調理終了時刻の設定を順序良く行うことができる。【選択図】図１
2010004912.tif 000002
【特許請求の範囲】
【請求項１】
加熱手段を有する焼成室と、前記焼成室内に着脱自在に載置されたパン焼き型と、前記パン焼き型の内部に回転自在に配設された練り羽根と、前記練り羽根を駆動するモータと、前記焼成室内の温度を検知する温度検知手段と、メニューや焼き色の選択、調理終了時刻又は調理終了までの残時間の設定、調理スタートを行う入力手段と、選択されたメニューや設定された時刻又は時間を表示する表示手段とを備え、前記入力手段を、選択スイッチと、選択された内容を設定する確定スイッチと、設定された内容を取り消すための取消スイッチで構成した自動製パン機。
【請求項２】
選択スイッチで、メニューや焼き色、調理終了時刻又は調理終了までの残時間を選択するようにした請求項１に記載の自動製パン機。
【請求項３】
選択スイッチで選択する順番を、メニュー、焼き色、調理終了時刻又は調理終了までの残時間とした請求項２に記載の自動製パン機。
【請求項４】
選択されたメニューによって、選択スイッチによる選択を一部不可とする請求項３に記載に自動製パン機。
【請求項５】
取り消しスイッチを１回操作することで、選択中の１つ前の設定内容に戻るとともに、前記取消スイッチを２度操作することで、全ての設定内容を取り消すようにした請求項１〜４のいずれか１項に記載の自動製パン機。
【請求項６】
選択スイッチで、メニューや焼き色、調理終了時刻又は調理終了までの残時間を選択する際に、それぞれ前回の設定内容が最初に選択されるようにした請求項１〜５のいずれか１項に記載の自動製パン機。
【発明の詳細な説明】
【技術分野】
【０００１】
本発明は、一般家庭で使用される自動製パン機に関するものである。
【背景技術】
【０００２】
近年、一般家庭でも簡単にパンを作ることができる自動製パン機がよく用いられるようになってきた（例えば、特許文献１参照）。
【０００３】
図７は、上記特許文献１に記載された従来の自動製パン機の入力手段と表示手段を示した図であり、３１は液晶表示装置、３２はメニュースイッチ、３３は予約スイッチ、３４は時スイッチ、３５は分スイッチ、３６はスタートスイッチ、３７は取消スイッチである。
【０００４】
ここで、使用者は、メニュースイッチ３２を押して、メニュー選択後、予約スイッチ３３を押した後、時スイッチ３４や分スイッチ３５を押して、調理終了の時刻を設定して、スタートスイッチ３６を押して調理スタートを行うようになっている。
【特許文献１】特開２００４−１６３１３号公報
【発明の開示】
【発明が解決しようとする課題】
【０００５】
しかしながら、前記従来の自動製パン機の構成では、操作、設定するためのスイッチが多く、使用勝手が悪い、という課題を有していた。
【０００６】
本発明は、上記従来の課題を解決するもので、少ないスイッチで、メニュー選択から、焼き色の選択、調理終了時刻又は調理終了までの残時間の設定を行うことができる、使用勝手の良い自動製パン機を提供することを目的とする。
【課題を解決するための手段】
【０００７】
前記従来の課題を解決するために、本発明の自動製パン機は、加熱手段を有する焼成室と、前記焼成室内に着脱自在に載置されたパン焼き型と、前記パン焼き型の内部に回転自在に配設された練り羽根と、前記練り羽根を駆動するモータと、前記焼成室内の温度を検知する温度検知手段と、メニューや焼き色の選択、調理終了時刻又は調理終了までの残時間の設定、調理スタートを行う入力手段と、選択されたメニューや設定された時刻又は時間を表示する表示手段とを備え、前記入力手段を、選択スイッチと、選択された内容を設定する確定スイッチと、設定された内容を取り消すための取消スイッチで構成したもので、少ないスイッチでメニューの選択、焼き色の選択、調理終了時刻又は調理終了までの残時間の設定を順序良く行うことができ、使用勝手の良いものである。
【発明の効果】
【０００８】
本発明の自動製パン機は、選択スイッチと確定スイッチ、取消スイッチのみで、メニューの選択、焼き色の選択、調理終了時刻又は調理終了までの残時間の設定を順序良く行うことができ、使用勝手の良いものである。
【発明を実施するための最良の形態】
【０００９】
第１の発明は、加熱手段を有する焼成室と、前記焼成室内に着脱自在に載置されたパン焼き型と、前記パン焼き型の内部に回転自在に配設された練り羽根と、前記練り羽根を駆動するモータと、前記焼成室内の温度を検知する温度検知手段と、メニューや焼き色の選択、調理終了時刻又は調理終了までの残時間の設定、調理スタートを行う入力手段と、選
択されたメニューや設定された時刻又は時間を表示する表示手段とを備え、前記入力手段を、選択スイッチと、選択された内容を設定する確定スイッチと、設定された内容を取り消すための取消スイッチで構成したもので、少ないスイッチでメニューの選択、焼き色の選択、調理終了時刻又は調理終了までの残時間の設定を順序良く行うことができ、使用勝手の良いものである。
【００１０】
第２の発明は、特に、第１の発明の選択スイッチで、メニューや焼き色、調理終了時刻又は調理終了までの残時間を選択するようにしたもので、少ないスイッチでメニューの選択、焼き色の選択、調理終了時刻又は調理終了までの残時間の設定を順序良く行うことができ、使用勝手の良いものである。
【００１１】
第３の発明は、特に、第２の発明の選択スイッチで選択する順番を、メニュー、焼き色、調理終了時刻又は調理終了までの残時間としたもので、少ないスイッチでメニューの選択、焼き色の選択、調理終了時刻又は調理終了までの残時間の設定を順序良く行うことができ、使用勝手の良いものである。
【００１２】
第４の発明は、特に、第３の発明の選択されたメニューによって、選択スイッチによる選択を一部不可とするもので、少ないスイッチでメニューに応じて設定内容の選択を変えることで、より判りやすく設定を行うことができる。
【００１３】
第５の発明は、特に、第１〜４のいずれか一つの発明の取り消しスイッチを１回操作することで、選択中の１つ前の設定内容に戻るとともに、前記取消スイッチを２度操作することで、全ての設定内容を取り消すようにしたもので、少ないスイッチでメニューの選択から設定を決まった順番で行うとともに、もし誤って設定してもキャンセル操作で簡単に設定の変更を行うことができる。
【００１４】
第６の発明は、特に、第１〜５のいずれか一つの発明の選択スイッチで、メニューや焼き色、調理終了時刻又は調理終了までの残時間を選択する際に、それぞれ前回の設定内容が最初に選択されるようにしたもので、前回の調理設定と同じ場合には、確定スイッチを操作するだけで調理の設定を行うことができる。
【００１５】
以下、本発明の実施の形態について、図面を参照にしながら説明する。なお、この実施の形態によって本発明が限定されるものではない。
【００１６】
（実施の形態１）
図１は、本発明の第１の実施の形態にける自動製パン機を示すブロック図、図２は、同自動製パン機の入力手段と表示手段の構成を示す図、図３、図４は同自動製パン機の入力手段と表示手段の動作を示す図である。
【００１７】
図１、２において、１は、自動製パン機本体、２は、加熱手段であるヒータ３とパン焼き型４を内部に有しパンを焼成する焼成室、７は、パン焼き型４の内部に有ってパン生地を捏ね上げる練り羽根、５は、ベルト６とプーリー８を介して動力を伝達させ練り羽根７を回転させるモータ、１０は、焼成室２内の温度を検知するサーミスタ９を含む温度検知手段、１２は、モータ５を駆動制御するモータ制御手段、１１は、ヒータ３を駆動制御する加熱制御手段、１３は、メニュー選択等を行う入力手段、１４は、選択中の及び選択されたメニューや、設定中の及び設定された調理終了時刻等を表示する液晶表示装置２１を搭載した表示手段、１５は、温度検知手段１０や加熱制御手段１１、モータ制御手段１２、入力手段１３、表示手段１４を制御するマイクロコンピュータを搭載した制御装置である。
【００１８】
液晶表示装置２１は、全セグメントの表示をおこなっている。ここでは、上から順にメニュー選択のための「食パン」、「フランスパン」、「ソフト食パン」が選択できるようになっている。次は、レーズン設定のために、「レーズン無し」と「レーズン有り」の選択となっている。次は、焼き色選択のために、「淡色」と「標準色」、「濃色」の選択が可能となっている。
【００１９】
また、文字の下の罫線は、設定している表示となる。また、調理時間は、調理終了までの残時間を表示している。２２は、調理中やメニューなどの設定中、調理終了中を意味するＬＥＤで、ＬＥＤ２２の点灯は調理中を示し、ＬＥＤ２２の消灯は、メニュー等の設定中を示し、ＬＥＤ２２の点滅は調理終了を示す。
【００２０】
本実施の形態では、入力手段１３は、各設定の選択や設定変更を行うと共に、調理終了までの残時間を１０分単位で増加させることができる選択スイッチ２３と、選択された内容を設定する確定スイッチ２５と、設定された内容を取り消すための取消スイッチ２４の３つスイッチから構成されている。
【００２１】
以上のように構成された本実施の形態における自動製パン機の実際の設定について図３、図４を参照に説明する。
【００２２】
図３は、初期表示状態となっていて（ａ）の表示となる。ここで、選択スイッチ２３を操作して、希望の食パンメニューを選択する。ここでは、最初から食パンが選択されているので、選択スイッチ２３を操作する必要はない。メニューを決定し、確定スイッチ２５を操作すると（ｂ）の表示となる。次に、選択スイッチ２３を操作してレーズンの設定を行う。ここでは、「レーズン無し」、「レーズン有り」からレーズンの設定が行える。
【００２３】
「レーズン有り」の設定をし、確定スイッチ２５を操作すると（ｃ）の表示となる。選択スイッチ２３を操作して焼き色の設定を行う。ここでは、「淡色」、「標準色」、「濃色」から焼き色の設定が行える。例えば、「濃色」を選択し、確定スイッチ２５を操作すると（ｄ）の表示となる。最後に、調理終了までの残時間を変更する。ここでは、４時間後から１３時間後まで１０分単位で選択できる。選択スイッチ２３を操作して、希望の７時間後を選択する。その後、確定スイッチ２５を操作して、予約が完了すると（ｅ）の表示となり、ＬＥＤ２２が点灯表示となり調理がスタートする。
【００２４】
ここで、もし誤った設定をしてしまったことに気づいた場合には、取消スイッチ２４を操作することになるが、本実施の形態では、取消スイッチ２４を１回操作した場合には、現在設定されている項目の一つ前の項目のみキャンセルとなり、続けてもう１回操作した場合は、全ての設定がキャンセルされるようになっている。
【００２５】
図４において、調理完了までの時間の設定をしている場合には（ａ）の表示となっているが、取消スイッチ２４を操作した場合には、１つ前の焼き色設定がキャンセルとなり（ｂ）の表示に切り替わる。さらに、取消スイッチ２４を操作すると全ての設定がキャンセルとなり（ｃ）の表示となる。
【００２６】
また、メニューの設定がフランスパンの場合には、焼き色選択が不可となり（ｄ）の表示となる。フランスパンは、油脂や砂糖が少ないため焼き色がつきにくくなっているため選択不能としている。
【００２７】
このように、本実施の形態によれば、少ないスイッチで判りやすくメニュー、レーズン有り無し、焼き色、調理時間の設定を行うことができる。
【００２８】
（実施の形態２）
図５は、本発明の第２の実施の形態における自動製パン機の入力手段と表示手段の構成を示す図、図６は、同自動製パン機の入力手段と表示手段の動作を示す図である。尚、上記第１の実施の形態における自動製パン機と同一部分には、同一符号を付して、その説明を省略する。
【００２９】
図５において、２６はメニューや設定内容を表示する液晶表示装置で、液晶表示装置２６は、全セグメントの表示をおこなっている。ここでは、調理終了時刻を設定できるように予め現在時刻が設定されている。２７は、左選択スイッチで設定項目を左順番に設定することができると共に、調理終了時刻を戻すことができる。２８は、右選択スイッチで設定項目を右順番に設定することができると共に、調理終了時刻を進めることができる。
【００３０】
ここで、実際の設定について図６を参照に説明する。
【００３１】
図６は、初期表示状態となっている。前回調理した設定は、食パン、レーズン有り、濃色、調理終了時刻１７：００となっている場合で、同じ設定で調理する場合には、（ａ）の表示のように、メニューは食パンが選択されている。ここで、その設定のままでいいのであれば、確定スイッチ２５を操作する。次にレーズン設定においても、予め（ｂ）の表示のように、レーズン有りが選択されているので、確定スイッチ２５を操作する。次は、焼き色選択においても、予め（ｃ）の表示のように、濃色が選択されているので、確定スイッチ２５を操作する。
【００３２】
最後に、調理終了時刻の設定においても予め調理終了時刻である１７：００が設定されている。ここで、現在の時刻が１３時から１７時の場合には、調理最低時間が４時間となっているため、調理終了時刻を１７：００に設定することは不可となる。このような場合、例えば、現在時刻が１５：００の場合には、図６（ｅ）に示すように、調理最低時間から計算された時刻、すなわち４時間後の１９：００が調理終了時刻として設定されるようになっている。
【００３３】
このように、前回と同じ設定の場合には、確定スイッチを４回操作するだけで、調理をスタートさせることができる。
【００３４】
なお、調理最低時間を４時間としているが、本発明は、この時間に限定しているものではない。
【産業上の利用可能性】
【００３５】
以上のように、本発明にかかる自動製パン機は、少ないスイッチで効率よくメニューや設定を行うことできるので、餅つき器やオーブントースター等にも適応できる。
【図面の簡単な説明】
【００３６】
【図１】本発明の第１の実施の形態における自動製パン機のブロック図
【図２】同自動製パン機の入力手段と表示手段を示す図
【図３】（ａ）〜（ｅ）同自動製パン機の入力手段と表示手段の動作を示す図
【図４】（ａ）〜（ｄ）同自動製パン機の入力手段と表示手段の動作を示す図
【図５】本発明の第２の実施の形態における自動製パン機の入力手段と表示手段の構成を示す図
【図６】（ａ）〜（ｅ）同自動製パン機の入力手段と表示手段の動作を示す図
【図７】従来の自動製パン機の入力手段と表示手段を示す図
【符号の説明】
【００３７】
１  自動製パン機本体
２  焼成室
３  ヒータ（加熱手段）
４  パン焼き型
５  モータ
６  ベルト
７  練り羽根
９  サーミスタ
１０  温度検知手段
１１  加熱制御手段
１２  モータ制御手段
１３  入力手段
１４  表示手段
１５  制御装置
２１、２６  液晶表示装置
２２  ＬＥＤ
２３  選択スイッチ
２４  取消スイッチ
２５  確定スイッチ
２７  左選択スイッチ（選択スイッチ）
２８  右選択スイッチ（選択スイッチ）
【図１】
2010004912.tif 000003
【図２】
2010004912.tif 000004
【図３】
2010004912.tif 000005
【図４】
2010004912.tif 000006
【図５】
2010004912.tif 000007
【図６】
2010004912.tif 000008
【図７】
2010004912.tif 000009